(57)【要約】【課題】主に各種電子機器の操作に用いられるリモコン送受信装置に関し、簡易な操作で、確実な遠隔操作が可能なものを提供することを目的とする。【解決手段】リモコン送信機２８からの確認コードＣに応じて、第二のリモコン受信機３５が所定の応答コードＤを返信すると共に、リモコン送信機２８がこの応答コードＤを第一のリモコン受信機３２に送信することによって、第二のリモコン受信機３５からの応答コードＤの内容を、例えば電子機器２９の表示手段３０に確認表示３０Ａとして表示することで、第二のリモコン受信機３５の番組や録画等の状態を容易に確認できるため、簡易な操作で、確実な遠隔操作が可能なリモコン送受信装置を得ることができる。【選択図】図１
2010028703.tif 000002
【特許請求の範囲】
【請求項１】
操作手段の操作に応じてリモコン信号を送信するリモコン送信機と、このリモコン信号を受信する第一及び第二のリモコン受信機からなり、上記リモコン送信機からの確認コードに応じて、上記第二のリモコン受信機が所定の応答コードを返信すると共に、上記リモコン送信機がこの応答コードを上記第一のリモコン受信機に送信するリモコン送受信装置。
【発明の詳細な説明】
【技術分野】
【０００１】
本発明は、主に各種電子機器の遠隔操作に用いられるリモコン送受信装置に関するものである。
【背景技術】
【０００２】
近年、テレビやビデオ、ディスクレコーダ等の各種電子機器の高機能化が進むなか、これらを遠隔操作するリモコン送受信装置においても、発光ダイオード等を用いた赤外線によって操作を行うものに加え、離れた位置や家具等の遮蔽物があった場合でも遠隔操作が可能なように、電波を用いたものが多く用いられるようになっている。
【０００３】
このような従来のリモコン送受信装置について、図４及び図５を用いて説明する。
【０００４】
図４は従来のリモコン送受信装置の斜視図であり、同図において、１は略箱状で絶縁樹脂製のケースで、このケース１上面や側面には、下方にスイッチ接点が設けられた複数の操作キー２Ａ等が上下動または摺動可能に突出して、操作手段２が形成されている。
【０００５】
そして、ケース１内には上下面に複数の配線パターンが形成された配線基板（図示せず）が収納され、この配線基板の上下面に実装されたアンテナ等によって送信手段３や受信手段４、マイコン等の電子部品によって制御手段５が各々形成されて、リモコン送信機６が構成されている。
【０００６】
また、７はテレビ等の電子機器で、この前面にはブラウン管や液晶表示素子等によって表示手段８が形成されると共に、アンテナ等の送信手段９や受信手段１０、マイコン等の制御手段１１、後方にスイッチ接点が形成された複数の操作手段１２から形成された、第一のリモコン受信機１３が収納されている。
【０００７】
さらに、１４はテレビやビデオ等の電子機器で、この前面には表示手段１５や記録手段１６が形成されると共に、送信手段１７や受信手段１８、制御手段１９、複数の操作手段２０から形成された第二のリモコン受信機２１が収納され、これらリモコン送信機６と第一のリモコン受信機１３、第二のリモコン受信機２１によって、リモコン送受信装置が構成されている。
【０００８】
なお、このような電波を用いて遠隔操作を行うリモコン送受信装置の場合、赤外線方式のもの等に比べ通信範囲が広いため、室内に置かれた他の機器、あるいは他の部屋の機器にまで電波が届き、意図しない機器まで誤って操作されてしまう場合がある。
【０００９】
このため、使用前に操作手段２や１２、２０の所定の操作を行い、所定の認証コード等を設定して、リモコン送信機６と第一のリモコン受信機１３、第二のリモコン受信機２１のみが、各々一組のペアとして操作可能となる設定、いわゆるペアリングを行った後に、通常の遠隔操作が行われるようになっている。
【００１０】
以上の構成において、リモコン送信機６の操作手段２の例えば操作キー２Ａを電子機器７、つまり第一のリモコン受信機１３側に切換えた状態で、複数の操作キーのうち、例えば電源の入／切や選局の切換え等の操作キーを押圧操作すると、この下方のスイッチ接点の電気的接離が行われ、これを制御手段５が検出して、図５（ａ）の信号構成図に示すような、選局切換え等の操作コードＡ１の後に、第一のリモコン受信機１３との間で設定した認証コードＢ１が付加されたリモコン信号が、送信手段３から電波として送信される。
【００１１】
そして、これを第一のリモコン受信機１３の受信手段１０が受信すると共に、制御手段１１がこのリモコン信号の認証コードＢ１が、ペアリング時に設定されたものと同一であるか否かを判定し、一致した場合には、操作コードＡ１に応じた電子機器７の様々な操作、例えば、テレビ放送を受信しているチャンネルの切換え等が行われる。
【００１２】
なお、この時、受信した認証コードＢ１が設定されたものと異なる場合には、制御手段１１がペアリングされたものとは別のリモコン送信機からのリモコン信号であると判定し、選局の切換え等の遠隔操作は行われないようになっている。
【００１３】
また、リモコン送信機６の操作キー２Ａを電子機器１４、つまり第二のリモコン受信機２１側に切換えた状態で、複数の操作キーのうち、例えば録画開始等の操作キーを押圧操作すると、この下方のスイッチ接点の電気的接離が行われ、これを制御手段５が検出して、図５（ｂ）に示すような、録画開始等の操作コードＡ２の後に、第二のリモコン受信機２１との間で設定した認証コードＢ２が付加されたリモコン信号が送信される。
【００１４】
そして、これを電子機器７とは離れた場所、あるいは別の部屋に置かれた電子機器１４の、第二のリモコン受信機２１の受信手段１８が受信し、制御手段１９がこのリモコン信号の認証コードＢ２が設定されたものと同一であるか否かを判定して、一致した場合には、操作コードＡ２に応じた電子機器１４の様々な操作、例えば記録手段１６に収納されたテープやディスク（図示せず）の録画等が開始される。
【００１５】
なお、この場合にも、受信した認証コードＢ２が設定されたものと異なる場合には、例えば上述したような認証コードＢ１であった場合等には、制御手段１９がこれを判定し遠隔操作は行われないため、電子機器７と１４が誤って操作されることがないように形成されている。
【００１６】
すなわち、例えば、身近な場所に置かれた電子機器７を、リモコン送信機６で操作してテレビ放送のある番組を見ながら、離れた場所や別の部屋に置かれた電子機器１４を、同じリモコン送信機６で操作して、別のチャンネルで放送している別の番組の録画や、テープやディスクの再生や早送り等を、同時に行うことが可能なようになっている。
【００１７】
つまり、リモコン送受信装置のリモコン信号に通信範囲の広い電波を用いると共に、事前に所定のリモコン送信機６と第一のリモコン受信機１３、第二のリモコン受信機２１のペアリングを行い、各々異なる認証コードＢ１やＢ２を設定することで、一つのリモコン送信機６で身近な場所に置かれた電子機器７と、離れた場所に置かれた電子機器１４の、二つの機器を誤操作なく遠隔操作できるように構成されているものであった。
【００１８】
なお、この出願の発明に関連する先行技術文献情報としては、例えば、特許文献１が知られている。
【特許文献１】特開２００５−３２８２４４号公報
【発明の開示】
【発明が解決しようとする課題】
【００１９】
しかしながら、上記従来のリモコン送受信装置においては、一つのリモコン送信機６で電子機器７と１４の、二つの機器を誤操作なく遠隔操作することは可能であるが、離れた場所や別の部屋に置かれた電子機器１４の、例えば、番組の録画や終了等の状態を確認するには、電子機器７のチャンネルを変えて録画している番組を確認したり、電子機器１４の傍まで行って確認したりする必要があるため、操作が煩雑で手間がかかってしまうという課題があった。
【００２０】
本発明は、このような従来の課題を解決するものであり、簡易な操作で、確実な遠隔操作が可能なリモコン送受信装置を提供することを目的とする。
【課題を解決するための手段】
【００２１】
上記目的を達成するために本発明は、リモコン送信機からの確認コードに応じて、第二のリモコン受信機が所定の応答コードを返信すると共に、リモコン送信機がこの応答コードを第一のリモコン受信機に送信するようにしてリモコン送受信装置を構成したものであり、リモコン送信機から確認コードを送信し、第二のリモコン受信機からの応答コードの内容を、例えば第一のリモコン受信機の表示手段に表示することで、第二のリモコン受信機の番組や録画等の状態を容易に確認できるため、簡易な操作で、確実な遠隔操作が可能なリモコン送受信装置を得ることができるという作用を有するものである。
【発明の効果】
【００２２】
以上のように本発明によれば、簡易な操作で、確実な遠隔操作が可能なリモコン送受信装置を実現できるという有利な効果が得られる。
【発明を実施するための最良の形態】
【００２３】
以下、本発明の実施の形態について、図１〜図３を用いて説明する。
【００２４】
なお、背景技術の項で説明した構成と同一構成の部分には同一符号を付して、詳細な説明を簡略化する。
【００２５】
（実施の形態）
図１は本発明の一実施の形態によるリモコン送受信装置のブロック回路図、図２は同斜視図であり、同図において、１は略箱状でポリスチレンやＡＢＳ等の絶縁樹脂製のケースで、このケース１上面や側面には、下方にスイッチ接点が設けられたゴムや絶縁樹脂製の複数の操作キー２５Ａや２５Ｂ等が、上下動または摺動可能に突出して操作手段２５が形成されている。
【００２６】
そして、ケース１内には上下面に銅箔等によって複数の配線パターンが形成された、紙フェノールやガラス入りエポキシ等の配線基板（図示せず）が収納されると共に、この配線基板の上下面に実装されたアンテナ等によって送信手段３や受信手段４、マイコン等の電子部品によって制御手段２６が、各々形成されている。
【００２７】
さらに、２７は発光ダイオードやブザー等の報知手段で、この報知手段２７や複数のスイッチ接点、送信手段３や受信手段４が、配線パターンを介して制御手段２６に接続されて、リモコン送信機２８が構成されている。
【００２８】
そして、２９はテレビ等の電子機器で、この前面にはブラウン管や液晶表示素子等によって表示手段３０が形成されると共に、アンテナ等の送信手段９や受信手段１０、マイコン等の制御手段３１、後方にスイッチ接点が形成された複数の操作手段１２から形成された、第一のリモコン受信機３２が収納されている。
【００２９】
また、３３はテレビやビデオ等の電子機器で、この前面には表示手段１５や記録手段１６が形成されると共に、送信手段１７や受信手段１８、制御手段３４、複数の操作手段２０から形成された第二のリモコン受信機３５が収納され、これらリモコン送信機２８と第一のリモコン受信機３２、第二のリモコン受信機３５によって、リモコン送受信装置が構成されている。
【００３０】
なお、このような電波を用いて遠隔操作を行うリモコン送受信装置の場合、赤外線方式のもの等に比べ通信範囲が広いため、室内に置かれた他の機器、あるいは他の部屋の機器にまで電波が届き、意図しない機器まで誤って操作されてしまう場合がある。
【００３１】
このため、使用前に操作手段２５や１２、２０の所定の操作を行い、所定の認証コード等を設定して、リモコン送信機２８と第一のリモコン受信機３２、第二のリモコン受信機３５のみが、各々一組のペアとして操作可能となる設定、いわゆるペアリングを行った後に、通常の遠隔操作が行われるようになっている。
【００３２】
以上の構成において、リモコン送信機２８の操作手段２５の例えば操作キー２５Ａを電子機器２９、つまり第一のリモコン受信機３２側に切換えた状態で、複数の操作キーのうち、例えば電源の入／切や選局の切換え等の操作キーを押圧操作すると、この下方のスイッチ接点の電気的接離が行われ、これを制御手段２６が検出して、図３（ａ）の信号構成図に示すような、選局切換え等の操作コードＡ１の後に、第一のリモコン受信機３２との間で設定した認証コードＢ１が付加されたリモコン信号が、送信手段３から電波として送信される。
【００３３】
そして、これを第一のリモコン受信機３２の受信手段１０が受信すると共に、制御手段３１がこのリモコン信号の認証コードＢ１が設定されたものと同一であるか否かを判定し、一致した場合には、操作コードＡ１に応じた電子機器２９の様々な操作、例えば、テレビ放送を受信しているチャンネルの切換え等が行われる。
【００３４】
なお、この時、受信した認証コードＢ１が設定されたものと異なる場合には、制御手段３１がペアリングされたものとは別のリモコン送信機からのリモコン信号であると判定し、選局の切換え等の遠隔操作は行われないようになっている。
【００３５】
また、リモコン送信機２８の操作キー２５Ａを電子機器３３、つまり第二のリモコン受信機３５側に切換えた状態で、複数の操作キーのうち、例えば録画開始等の操作キーを押圧操作すると、この下方のスイッチ接点の電気的接離が行われ、これを制御手段２６が検出して、図３（ｂ）に示すような、録画開始等の操作コードＡ２の後に、第二のリモコン受信機３５との間で設定した認証コードＢ２が付加されたリモコン信号が送信される。
【００３６】
そして、これを電子機器２９とは離れた場所、あるいは別の部屋に置かれた電子機器３３の、第二のリモコン受信機３５の受信手段１８が受信し、制御手段３４がこのリモコン信号の認証コードＢ２が設定されたものと同一であるか否かを判定して、一致した場合には、操作コードＡ２に応じた電子機器３３の様々な操作、例えば記録手段１６に収納されたテープやディスク（図示せず）の録画等が開始される。
【００３７】
なお、この場合にも、受信した認証コードＢ２が設定されたものと異なる場合には、例えば上述したような認証コードＢ１であった場合等には、制御手段３４がこれを判定し遠隔操作は行われないため、電子機器２９と３３が誤って操作されることがないようになっている。
【００３８】
つまり、リモコン送受信装置のリモコン信号に通信範囲の広い電波を用いると共に、事前に所定のリモコン送信機２８と第一のリモコン受信機３２、第二のリモコン受信機３５をペアリングし、各々異なる認証コードＢ１やＢ２を設定することによって、一つのリモコン送信機２８で身近な場所に置かれた電子機器２９と、離れた場所に置かれた電子機器３３の、二つの機器を遠隔操作できるように構成されている。
【００３９】
さらに、このように、例えば身近な場所に置かれた電子機器２９で、テレビ放送のある番組を見ながら、離れた場所や別の部屋に置かれた電子機器３３では、別のチャンネルで放送している別の番組を録画しているような状態で、リモコン送信機２８の所定の操作キー、例えば操作キー２５Ｂを押圧操作すると、この下方のスイッチ接点の電気的接離が行われ、これを制御手段２６が検出して、図３（ｃ）に示すような、確認コードＣの後に、第二のリモコン受信機３５との間で設定した認証コードＢ２が付加されたリモコン信号が送信される。
【００４０】
そして、これを電子機器３３の、第二のリモコン受信機３５の受信手段１８が受信し、制御手段３４がこのリモコン信号の認証コードＢ２を判定して、一致している場合には、図３（ｄ）に示すような、例えば、表示手段１５に表示されている番組のチャンネルや、記録手段１６が録画等を開始してからの時間等から形成された応答コードＤに、自らの認証コードＢ２を付加したリモコン信号を返信する。
【００４１】
また、このリモコン信号をリモコン送信機２８の受信手段４が受信すると、制御手段２６が認証コードＢ２によって、これが第二のリモコン受信機３５からの返信であることを判定すると共に、図３（ｅ）に示すような、応答コードＤに第一のリモコン受信機３２の認証コードＢ１を付加したリモコン信号を、送信手段３から送信する。
【００４２】
さらに、これを電子機器２９の第一のリモコン受信機３２の受信手段１０が受信すると、制御手段３１がこのリモコン信号の認証コードＢ１を判定し、一致した場合には、図２に示すように、表示手段３０に応答コードＤの内容、例えば、電子機器３３のチャンネルや録画時間等から形成された確認表示３０Ａを表示させる。
【００４３】
すなわち、リモコン送信機２８の所定の操作キー、例えば操作キー２５Ｂを押圧操作するだけで、複雑な操作を行ったり、離れた場所や別の部屋に置かれた電子機器３３の傍まで行ったりすることなく、身近な場所に置かれた電子機器２９の表示手段３０に表示された確認表示３０Ａによって、離れた場所の電子機器３３で放送されている番組のチャンネルや、その視聴時間や録画時間等を確認することが可能なようになっている。
【００４４】
つまり、リモコン送信機２８からの確認コードＣに応じて、第二のリモコン受信機３５が所定の応答コードＤを返信すると共に、リモコン送信機２８がこの応答コードＤを第一のリモコン受信機３２に送信し、この応答コードＤの内容を身近な場所に置かれた電子機器２９の、表示手段３０に確認表示３０Ａとして表示することによって、離れた場所や別の部屋に置かれた電子機器３３の番組や録画等の状態を容易に確認できるように構成されている。
【００４５】
なお、以上の説明では、第二のリモコン受信機３５から番組のチャンネルや録画時間等が、応答コードＤとしてリモコン送信機２８に返信され、これらを第一のリモコン受信機３２が表示手段３０の確認表示３０Ａに、文字として表示する構成について説明したが、電子機器３３で放送されている番組の画像そのものを応答コードＤとして返信し、この画像を確認表示３０Ａとして電子機器２９に表示するようにしてもよい。
【００４６】
また、リモコン送信機２８の所定の操作キー、例えば操作キー２５Ｂを都度操作するのではなく、一回押圧操作した後は、これを制御手段２６が記憶して所定の時間間隔、例えば１５分おきや３０分おきといった間隔で、確認コードＣを送信し返信された応答コードＤに応じて、電子機器２９の確認表示３０Ａを所定間隔で変化させるようにすれば、特に電子機器３３で録画等を行っている場合、より正確に確認を行うことが可能となる。
【００４７】
さらに、所定時間、例えば録画予定時間の２時間が経過した場合等には、制御手段２６がリモコン送信機２８の発光ダイオードやブザー等の報知手段２７を、点滅あるいは吹鳴するようにすれば、身近な場所の電子機器２９を視聴している者に、テープやディスク等の録画時間切れ等を知らせることができる。
【００４８】
なお、リモコン送信機２８に液晶表示素子等の表示手段が設けられている場合には、この表示手段を報知手段として用い、所定時間が経過した場合にはエラー表示等を行うように形成してもよい。
【００４９】
また、リモコン送信機２８からの確認コードＣに対し、電子機器３３が特定のチャンネルを放送している時のみ、第二のリモコン受信機３５が所定の応答コードＤを返信する構成や、あるいは、電子機器２９と３３を逆にし、電子機器２９の番組や録画等を電子機器３３の表示手段１５に表示する構成としてもよい。
【００５０】
このように本実施の形態によれば、リモコン送信機２８からの確認コードＣに応じて、第二のリモコン受信機３５が所定の応答コードＤを返信すると共に、リモコン送信機２８がこの応答コードＤを第一のリモコン受信機３２に送信することによって、第二のリモコン受信機３５からの応答コードＤの内容を、例えば電子機器２９の表示手段３０に確認表示３０Ａとして表示することで、第二のリモコン受信機３５の番組や録画等の状態を容易に確認できるため、簡易な操作で、確実な遠隔操作が可能なリモコン送受信装置を得ることができるものである。
【００５１】
なお、以上の説明では、構成を判り易くするために、操作コードＡ１やＡ２と認証コードＢ１やＢ２、あるいは確認コードＣと認証コードＢ２、応答コードＤと認証コードＢ１やＢ２というように、リモコン信号として一つまたは二つのコードが、リモコン送信機２８と第一のリモコン受信機３２、第二のリモコン受信機３５の間で送受信される構成として説明したが、実際にはこれらに機器やモデル毎に決められたヘッダコード等の、様々なコードが付加されたリモコン信号を用いて、一般的には送受信が行われている。
【００５２】
また、以上の説明では、一つのリモコン送信機２８でテレビやビデオ等の、二つの電子機器２９と３３を遠隔操作する構成について説明したが、さらに多くの機器、例えばエアコンをリモコン送信機２８で遠隔操作すると共に、その設定温度や運転時間等を確認表示３０Ａに表示するようにした構成や、あるいは、リモコン送信機２８で確認表示３０Ａを操作して、離れた場所に設置された他の機器を遠隔操作するようにした構成等、様々な実施が可能である。
【産業上の利用可能性】
【００５３】
本発明によるリモコン送受信装置は、簡易な操作で、確実な遠隔操作が可能なものが得られ、主に各種電子機器の遠隔操作用として有用である。
【図面の簡単な説明】
【００５４】
【図１】本発明の一実施の形態によるリモコン送受信装置のブロック回路図
【図２】同斜視図
【図３】同信号構成図
【図４】従来のリモコン送受信装置の斜視図
【図５】同信号構成図
【符号の説明】
【００５５】
１  ケース
３  送信手段
４  受信手段
９  送信手段
１０  受信手段
１２  操作手段
１５  表示手段
１６  記録手段
１７  送信手段
１８  受信手段
２０  操作手段
２５  操作手段
２５Ａ、２５Ｂ  操作キー
２６  制御手段
２７  報知手段
２８  リモコン送信機
２９  電子機器
３０  表示手段
３０Ａ  確認表示
３１  制御手段
３２  第一のリモコン受信機
３３  電子機器
３４  制御手段
３５  第二のリモコン受信機
【図１】
2010028703.tif 000003
【図２】
2010028703.tif 000004
【図３】
2010028703.tif 000005
【図４】
2010028703.tif 000006
【図５】
2010028703.tif 000007